(57)【要約】      （修正有）【課題】一種のマルチ回転照明を具えた照明器具構造を提供する。【解決手段】一種のマルチ回転照明を具えた照明器具構造に関り、該照明器具構造は、主に棚の内部に取り付けられ、戸の開きを利用して照明器具構造の電気ループをオンにさせ、逆に戸の閉まりにより照明器具構造の電気ループをオフにさせ、電気ループがオンになった時、該照明器具構造の発光部が光を発して、棚の内部を照明させることにより、棚内物品の陳列位置が見え、且つ、マルチ回転可能な構造により異なる角度を照明する。【選択図】図１
0003143017.tif 000002
【実用新案登録請求の範囲】
【請求項１】
マルチ回転照明を具えた照明器具構造であって、これは、
中空部の筐体構造を含み、且つ表面に凹陥部を有し、前記凹陥部に受け部を設けたケース体と、
前記凹陥部に係合して設置でき、且つその一端の表面に支持軸部を具備し、前記支持軸部が前記受け部と係合できる可動部と、
複数の発光素子を含み、且つ前記発光素子が前記可動部の表面に設置された第１発光部と、
主に全体の電力源となる電力供給部、及び、
前記第１発光部と前記電力供給部間の電気ループを電気的に接続させる電気ループ部を含むことを特徴とする、マルチ回転照明を具えた照明器具構造。
【請求項２】
請求項１記載のマルチ回転照明を具えた照明器具構造において、前記電力供給部を前記ケース体の内部に設けることを特徴とする、マルチ回転照明を具えた照明器具構造。
【請求項３】
請求項２記載のマルチ回転照明を具えた照明器具構造において、前記電力供給部は電池ホルダーを含むことを特徴とする、マルチ回転照明を具えた照明器具構造。
【請求項４】
請求項１記載のマルチ回転照明を具えた照明器具構造において、前記ケース体の局所表面は、前記中空部まで貫通する開口部を含むことを特徴とする、マルチ回転照明を具えた照明器具構造。
【請求項５】
請求項４記載のマルチ回転照明を具えた照明器具構造において、前記照明器具構造は摺動部材、及び、延伸部を更に含み、前記摺動部材が前記ケース体の内部に設置され、且つ、第１位置と第２位置の間にリミットされ、前記延伸部の一端が前記摺動部材に接触し、且つ、他端が延伸して前記開口部に貫くと共に前記ケース体表面から突出することを特徴とする、マルチ回転照明を具えた照明器具構造。
【請求項６】
請求項５記載のマルチ回転照明を具えた照明器具構造において、前記照明器具構造は弾性復帰手段である２つの弾性素子を更に含み、前記弾性素子は導電可能な材質からなり、且つ、前記弾性素子の一端が前記ケース体に設け、他端が前記摺動部材に固装することを特徴とする、マルチ回転照明を具えた照明器具構造。
【請求項７】
請求項６記載のマルチ回転照明を具えた照明器具構造において、前記電気ループ部は第１電気接点と第２電気接点を含み、前記第１電気接点と第２電気接点の間をオフ状態にし、その一つの前記弾性素子がケース体の該端に設置され、また前記電気ループ部の前記第１電気接点と電気的に接続し、前記第１電気接点と電気的に接続する前記弾性素子は、前記第１電気接点と前記第２電気接点の間をオフ状態、または、オン状態のいずれかを選択することができ、且つ前記弾性素子の他端が前記第２電気接点に接続するとオン状態となり、前記弾性素子が前記第２電気接点から外れるとオフ状態となり、前記第１位置は前記摺動部材が選択したオフ状態に対応し、且つ前記第２位置は前記摺動部材が選択したオン状態に対応し、及び、前記摺動部材の延伸部の前記ケース体表面から突出する位置は前記摺動部材の第１位置と第２位置のいずれかに対応することを特徴とする、マルチ回転照明を具えた照明器具構造。
【請求項８】
請求項１記載のマルチ回転照明を具えた照明器具構造において、前記電気ループ部はスイッチ部を更に含み、前記スイッチ部は前記電気ループ部をオン、或いは、オフとなる状態のいずれかに制御するもう一つの部材で、且つ、前記ケース体にボタン部材を配置することができ、前記ボタン部材は前記スイッチ部の作動を操作できることを特徴とする、マルチ回転照明を具えた照明器具構造。
【請求項９】
請求項１記載のマルチ回転照明を具えた照明器具構造において、前記ケース体に第２発光部を設置でき、前記第２発光部が複数の発光素子を具備することを特徴とする、マルチ回転照明を具えた照明器具構造。
【請求項１０】
請求項１記載のマルチ回転照明を具えた照明器具構造において、前記ケース体は更に固定板に機械的結合することを特徴とする、マルチ回転照明を具えた照明器具構造。
【考案の詳細な説明】
【技術分野】
【０００１】
本考案は、マルチ回転照明の照明器具構造に関り、特に、棚内部に取り付ける照明器具構造で、且つマルチ回転可能な構造により異なる角度へ照明することに関る。
【背景技術】
【０００２】
現在、生活は益々便利となり、人々の生活における衣食住・交通を問わず、顕著な進歩があるが、まだまだ人々の底なしの欲望を満たすことができず、速やかにその問題点を解決するため、やはり人々に生活上の不便を与えるものを努力して見つけ出している。家庭内或いは会社にも多少物を置ける棚が設置され、ある棚は光線が不足する場所に設置され、また通常これら棚の大部分にも照明設備が無く、且つ照明設備付き棚の価格は通常より少し高く、しかもある種の棚は外付けコンセントがあってこそ照明設備を使用することができ、これによりその実用性は非常に低くなっていた。これに鑑み、本考案者は研究設計し、即ち絶え間ない改修により本考案に至った。
【考案の開示】
【考案が解決しようとする課題】
【０００３】
本考案の主な目的は、利用者が棚の戸を開いた時、照明を提供できるマルチ回転照明の照明器具構造を提供することにある。
【０００４】
本考案の別の目的は、マルチ回転可能な構造により異なる角度へ照明するマルチ回転照明の照明器具構造を提供することにある。
【課題を解決するための手段】
【０００５】
上記目的を達成するため、本考案のマルチ回転照明を具えた照明器具構造には、中空部の筐体構造を含み、且つ表面に凹陥部を有し、該凹陥部に受け部を設けたケース体と、該凹陥部に係合して設置でき、且つその一端の表面に支持軸部を具備し、該支持軸部が該受け部と係合できる可動部と、複数の発光素子を含み、且つこれら発光素子が該可動部の表面に設置された第１発光部と、主に全体の電力源となる電力供給部、及び該第１発光部と該電力供給部間の電気ループを電気的に接続させ、且つマルチ回転可能な構造により異なる角度へ照明する電気ループ部を含む。
【０００６】
当該技術を熟知する者に本考案の目的、特徴及び効果について理解していただくため、下記の具体的な実施例を介し付属の図面を組み合わせることで、本考案に対する詳細な説明を後記のとおり行うものである。
【０００７】
図１乃至図６を参考にすると、本考案は、照明器具構造１に関し、これはケース体１０、可動部２０、第１発光部２２、第２発光部２４、電力供給部３０、電気ループ部４０、摺動部材５０、延伸部６０及び２つの弾性素子７０、７２を含み、以下に本考案の実施例を詳細に説明する。
【０００８】
前述の本考案の照明器具構造１内において、該ケース体１０は中空部１２の筐体構造を含み、且つ該ケース体１０の局所表面は該中空部１２にまで貫通する開口部１４を含み、またさらにボタン部材１６及び凹陥部１８を具備し、該凹陥部１８に受け部１８０を設け、該受け部１８０は主に内側において凹陥した円弧形座部を呈する。
【０００９】
前述で言及した該可動部２０について、該可動部２０を該凹陥部１８に係合して設置でき、且つ該可動部２０の一端表面に支持軸部２００を具備し、該支持軸部の末端が球状の態様を呈し、該支持軸部２００が該受け部１８０と係合させることができ、このように該可動部２０は該受け部１８０及び該支持軸部２００の係合を通じて回転可能となる目的を達成できる。
【００１０】
前述で言及した該第１発光部２２は、複数の発光素子２２０を含み、且つこれら発光素子２２０を該可動部２０の表面に設置する。
【００１１】
前述で言及した該第２発光部２４は、複数の発光素子２４０を含み、且つこれら発光素子２４０を該ケース体１０の表面に設置する。
【００１２】
前述で言及した該電力供給部３０は、主に全体の電力源で、且つ具体的に言うと、本考案の電力供給部３０が提供する具体的な実施例は、該電力供給部３０が該ケース体１０の該中空部１２内に組み込まれ、且つ該電力供給部３０が電池ホルダーを含み、また一般的な電池（図に未表示）を利用してその電力源とすることができる。その他、該電力供給部３０は該ケース体１０の外部の電力源とすることもでき、具体的に言うと、該電力供給部３０は外付け電池パック或いは商用電力系統に電気的に接続できる変圧器で、且つ電気的な接続を通じて該電力供給部３０が提供する電力を該電気ループ部４０内まで引き込むと、該第１発光部２２及び該第２発光部２４に要する電力を提供することができる。
【００１３】
前述で言及した該電気ループ部４０は、主に該発光部２０と該電力供給部３０間の電気ループを電気的に接続させるためのもので、且つ該電気ループ部４０は第１電気接点４２及び第２電気接点４４を含み、該第１電気接点４２と第２電気接点４４の間をオフ状態にする。その他、前述の該第２電気接点４４は導電特性のある板体で、該板体は導電材質或いは非導電材質の基板に配置する導電材質からなることができる。また該電気ループ部４０はスイッチ部４６を更に含み、該スイッチ部４６は該電気ループ部４０をオン或いはオフとなる状態のいずれかに制御するもう一つ部材で、且つ該スイッチ部４６の作動はボタン部材１６を通じて操作できる。
【００１４】
前述で言及した該摺動部材５０は、該ケース体１０の内部に設置され、且つ第１位置と第２位置の間にリミットさせる。
【００１５】
前述で言及した該延伸部６０について、該延伸部６０の一端が該摺動部材５０に接触し、且つ該延伸部６０の他端が延伸して該開口部１４を貫き、並びに該ケース体１０の表面から突出する。該延伸部６０は円板状の態様を呈現し、また該摺動部材５０と該延伸部６０の接触箇所が円弧状の態様を呈現し、主に該摺動部材５０が容易に該延伸部６０に係合させることができる。
【００１６】
２つの弾性素子７０、７２は弾性復帰手段であり、該弾性素子７０、７２は導電可能な材質からなり、且つ該弾性素子７０、７２の一端が該ケース体１０に設け、他端が該摺動部材５０に固装し、その一つの該弾性素子７０がケース体１０の該端に設置され、また該電気ループ部４０の該第１電気接点４２と電気的に接続する。該第１電気接点４２と電気的に接続する該弾性素子７０は、該第１電気接点４２と該第２電気接点４４の間をオフ状態またはオン状態のいずれかを選択することができ、且つ該弾性素子７０の他端が該第２電気接点４４に接続するとオン状態となり、該弾性素子７０が該第２電気接点４４から外れるとオフ状態となる。該第１位置は該摺動部材５０が選択したオフ状態に対応し、且つ該第２位置は該摺動部材５０が選択したオン状態に対応し、このように片側の電源接触を形成する。及び該摺動部材５０の延伸部６０の該ケース体１０表面から突出する位置は該摺動部材５０の第１位置と第２位置のいずれかに対応する。
【００１７】
また図５及び図６を参照にすると、図５と図６は本考案の照明器具構造を棚に組み込んだ後の第１位置及び第２位置の見取図で、該照明器具構造１を棚９０の内部に取り付けるあたり、その取り付け方法はねじで螺合或いは留め具で該固定板８０を該棚９０の内部（本考案の特徴でないため、ここに詳述しない）に固定し、そして前述で言及した該ケース体１０を該固定板８０に組み込み、それは該棚９０に取り付けた時、該ケース体１０の開口部１４が該棚９０の外部空間に向かい、また第１発光部２２に設けた可動部２０及び該第２発光部２４の該ケース体１０が該棚９０の内部空間に向かい、該棚９０の戸板９２で該棚９０をクローズ状態にした時、該戸板９２が該延伸部６０を押すことで、該延伸部６０をケース体１０内部に向かって移動させるため、該摺動部材５０を牽引して該ケース体１０の内部へ移動することにより所定の第1位置に到達することができる。該弾性素子７０、７２も押されて圧縮することで、該第１電気接点４２と電気的に接続する該弾性素子７０は板体の該第２電気接点４４から外れて、回路を遮断状態にさせ、該第１発光部２２及び該第２発光部２４が光を発することがない。逆に、もしも該棚９０をオープンにした際、該戸板９２が該延伸部６０を加圧することができないため、該弾性素子７０は弾性復帰力を放出して該摺動部材５０に押すと共に該延伸部６０を該開口部１４から突出することで、該摺動部材５０を所定の第２位置までに移動させることで、更に一歩進んで該第１電気接点４２と電気的に接続する該弾性素子７０を該第２電気接点４４と接触させ、この場合、全体の回路がオン状態となり、該第１発光部２２及び該第２発光部２４が光を発して該棚９０の内部空間を照らすことができる。このうち、利用者は更に一歩進んでボタン部材１６を通じて該発光部の光の有無を制御できる。
【００１８】
そのため、本考案で提供する照明器具構造は、利用者に棚内部空間を照明できる照明器具構造であり、これにより本考案は極めて進歩性を有するものであり、十分に法で定められた特許請求の要件に符合するものであり、法に基づきここに申請を行う。審査委員の皆様の詳細なる審査を受け、一日も早く登録していただくよう切に願います。
【００１９】
以上の述べにつき、ただ好適な実施例を挙げて種々説明したが、限定されるものではなく、本考案の特許請求範囲に基づいて種々の改変をなし得ることは、本考案の実用新案登録請求の範囲内に含めるものであるのが勿論である。
【図面の簡単な説明】
【００２０】
【図１】本考案のマルチ回転照明を具えた照明器具構造の立体分解見取図である。
【図２】本考案のマルチ回転照明を具えた照明器具構造の部分部品の平面組立の見取図である。
【図３】本考案のマルチ回転照明を具えた照明器具構造の立体組立見取図である。
【図４】本考案のマルチ回転照明を具えた照明器具構造の電気ループ見取図である。
【図５】本考案のマルチ回転照明を具えた照明器具構造を棚に取り付けた後の第１位置の見取図である。
【図６】本考案のマルチ回転照明を具えた照明器具構造を棚に取り付けた後の第２位置の見取図である。
【符号の説明】
【００２１】
１  照明器具構造
１０  ケース体
１２  中空部
１４  開口部
１６  ボタン部材
１８  凹陥部
１８０  受け部
２０  可動部
２００  支持軸部
２２  第１発光部
２２０  発光素子
２４  第２発光部
２４０  発光素子
３０  電力供給部
４０  電気ループ部 
４２  第１電気接点
４４  第２電気接点
４６  スイッチ部
５０  摺動部材
６０  延伸部
７０、７２  弾性素子
８０  固定板
９０  棚
９２  戸板
【図１】
0003143017.tif 000003
【図２】
0003143017.tif 000004
【図３】
0003143017.tif 000005
【図４】
0003143017.tif 000006
【図５】
0003143017.tif 000007
【図６】
0003143017.tif 000008